(57)【要約】【課題】  ポンプが発する磁場ノイズの強度を制御できるＸ線管装置及びＸ線管装置の制御方法を提供する。【解決手段】  Ｘ線管と、前記Ｘ線管を収容する筐体と、前記Ｘ線管と筐体との間の空間に充填された１次冷却液と、前記１次冷却液を冷却する熱交換器と、前記空間と前記熱交換器との間で前記１次冷却液を循環させるポンプと、前記ポンプに供給される電力を制御するポンプ制御部と、ユーザーが入力した信号に基づいて前記ポンプに供給される電力を定常時の値よりも低減する指令を前記ポンプ制御部に送信する操作手段と、を備える。【選択図】図１
2017191756.tif 000002
【特許請求の範囲】
【請求項１】
Ｘ線管と、
前記Ｘ線管を収容する筐体と、
前記Ｘ線管と筐体との間の空間に充填された１次冷却液と、
前記１次冷却液を冷却する熱交換器と、
前記空間と前記熱交換器との間で前記１次冷却液を循環させるポンプと、
前記ポンプに供給される電力を制御するポンプ制御部と、
ユーザーが入力した信号に基づいて前記ポンプに供給される電力を定常時の値よりも低減する指令を前記ポンプ制御部に送信する操作手段と、を備えるＸ線管装置。
【請求項２】
前記ポンプに接続された電源をさらに備え、
前記ポンプ制御部は、前記ユーザーが入力した信号に基づいて前記電源から前記ポンプへの電力の供給を遮断する請求項１に記載のＸ線管装置。
【請求項３】
前記ポンプ制御部は、前記ユーザーが入力した信号に優先して、前記Ｘ線管への熱入力状況または前記１次冷却液の温度のモニタ値が第１の閾値よりも高い場合に、前記ポンプへの定常時の電力の供給を許可する請求項１に記載のＸ線管装置。
【請求項４】
前記Ｘ線管がＸ線を放出する期間に、前記ポンプ制御部は、前記ユーザーが入力した信号に基づいて前記ポンプに供給される電力を定常時の値よりも低減する請求項１に記載のＸ線管装置。
【請求項５】
前記空間、前記熱交換器、及び前記ポンプを含み、前記１次冷却液が循環する第１循環流路と、
前記第１循環流路と独立して設けられ、前記熱交換器を含み、２次冷却液が循環する第２循環流路と、をさらに備え、
前記熱交換器は、プレート式の熱交換器であり、前記１次冷却液の熱を前記２次冷却液に伝達させる請求項１に記載のＸ線管装置。
【請求項６】
前記１次冷却液は、絶縁油であり、
前記２次冷却液は、水系冷却液である請求項５に記載のＸ線管装置。
【請求項７】
前記ポンプ制御部は、前記１次冷却液の温度又は前記２次冷却液の温度をモニタした結果に基づいて、前記ポンプの動作を制御する請求項５に記載のＸ線管装置。
【請求項８】
前記Ｘ線管への熱入力状況または、前記１次冷却液の温度または前記２次冷却液の温度のモニタ値が第１の閾値よりも高いか、または前記第１の閾値よりも低い第２の閾値以下であるかをランプ表示、画面表示または音声によって前記ユーザーに案内する案内通知手段をさらに備える請求項１乃至７の何れか１項に記載のＸ線管装置。
【請求項９】
Ｘ線管と、前記Ｘ線管を収容する筐体と、前記Ｘ線管と筐体との間の空間に充填された１次冷却液と、前記１次冷却液を冷却する熱交換器と、前記空間と前記熱交換器との間で前記１次冷却液を循環させるポンプと、を備えるＸ線管装置の制御方法において、
前記Ｘ線管の動作と独立して、ユーザーが入力した信号に基づいて前記ポンプに供給される電力を定常時の値よりも低減するＸ線管装置の制御方法。
【請求項１０】
前記ポンプに接続された電源をさらに備えるＸ線管装置の制御方法において、
前記ユーザーが入力した信号に基づいて前記ポンプに供給される電力を定常時の値よりも低減する操作がなされる際、前記電源から前記ポンプへの電圧の供給を遮断する請求項９に記載のＸ線管装置の制御方法。
【請求項１１】
前記ユーザーが入力した信号に基づいて前記ポンプに供給される電力を定常時の値よりも低減する操作に優先して、前記Ｘ線管への熱入力状況または前記１次冷却液の温度のモニタ値が第１の閾値よりも高い場合に、前記ポンプへの定常時の電力の供給を許可するように自動制御する請求項９に記載のＸ線管装置の制御方法。
【請求項１２】
前記Ｘ線管がＸ線を放出する期間に、前記ユーザーが入力した信号に基づいて前記ポンプに供給される電力を定常時よりも低減する請求項１１に記載のＸ線管装置の制御方法。
【請求項１３】
前記Ｘ線管への熱入力状況または、前記１次冷却液の温度のモニタ値が第１の閾値よりも高いか、または前記第１の閾値よりも低い第２の閾値以下であるかをランプ表示、画面表示または音声によって前記ユーザーに案内する請求項９乃至１２の何れか1項に記載のＸ線管装置の制御方法。
【発明の詳細な説明】
【技術分野】
【０００１】
本発明の実施形態は、Ｘ線管装置及びＸ線管装置の制御方法に関する。
【背景技術】
【０００２】
従来、Ｘ線を使用して被写体を診断する医療用機器や工業用機器には、Ｘ線発生源としてＸ線管装置が使用されている。Ｘ線管装置は、筐体と、筐体に収容されたＸ線管と、筐体とＸ線管との間の空間を満たした冷却液と、を備えている。Ｘ線管は、陰極から放出されて加速した電子ビームが陽極ターゲットに衝突することによってＸ線を発生させる。この際、発生する熱をＸ線管装置から放出するために、例えば、冷却液を循環させる冷却器を備えたＸ線管装置が提案されている。
【０００３】
上記のような冷却器においては、冷却液の循環用ポンプはＸ線管装置への入力状況に関わらず、常時動作される。循環用ポンプの動作中は、循環用ポンプから磁場ノイズが発生する。そのため、例えば，心臓不整脈治療で用いられるアブレーション治療時に、モニタする心電図上にノイズが影響し、正確な心電波形が得られず診断がしにくい等の問題があった。
【先行技術文献】
【特許文献】
【０００４】
【特許文献１】実開平１−６０３９９号公報
【発明の概要】
【発明が解決しようとする課題】
【０００５】
本実施形態の目的は、ポンプが発する磁場ノイズの強度を制御できるＸ線管装置及びＸ線管装置の制御方法を提供することにある。
【課題を解決するための手段】
【０００６】
一実施形態に係るＸ線管装置は、Ｘ線管と、前記Ｘ線管を収容する筐体と、前記Ｘ線管と筐体との間の空間に充填された１次冷却液と、前記１次冷却液を冷却する熱交換器と、前記空間と前記熱交換器との間で前記１次冷却液を循環させるポンプと、前記ポンプに供給される電力を制御するポンプ制御部と、ユーザーが入力した信号に基づいて前記ポンプに供給される電力を定常時の値よりも低減する指令を前記ポンプ制御部に送信する操作手段と、を備える。
【０００７】
一実施形態に係るＸ線管装置の制御方法は、Ｘ線管と、前記Ｘ線管を収容する筐体と、前記Ｘ線管と筐体との間の空間に充填された１次冷却液と、前記１次冷却液を冷却する熱交換器と、前記空間と前記熱交換器との間で前記１次冷却液を循環させるポンプと、を備えるＸ線管装置の制御方法において、前記Ｘ線管の動作と独立して、ユーザーが入力した信号に基づいて前記ポンプに供給される電力を定常時の値よりも低減する。
【図面の簡単な説明】
【０００８】
【図１】図１は、一実施形態に係るＸ線管装置を示す図である。
【図２】図２は、図１に示したＸ線管の構成を示す断面図である。
【図３】図３は、Ｘ線管の陽極蓄積熱容量に関するグラフを示す図である。
【発明を実施するための形態】
【０００９】
以下に、本発明の一実施形態及び各変形例について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１０】
まず、一実施形態に係るＸ線管装置及びＸ線管装置の制御方法について説明する。図１は、一実施形態に係るＸ線管装置１を示す図である。また、図２は、図１に示したＸ線管５の構成を示す断面図である。始めに、Ｘ線管装置の構成について説明する。
【００１１】
図１に示すように、Ｘ線管装置１は、Ｘ線管５と、磁界を発生させるコイルであるステータコイル６と、Ｘ線管５及びステータコイル６を収容する筐体３と、Ｘ線管５とステータコイル６と筐体３との間の空間に充填された１次冷却液としての冷却液４と、冷却器２等を備えている。本実施形態においては、Ｘ線管５が回転陽極型Ｘ線管である場合について説明する。
【００１２】
また、図２に示すように、Ｘ線管５は、陽極ターゲット５１、陰極５２、回転体５３、固定体５４、真空外囲器５５等を備えている。
【００１３】
固定体５４は、円柱状に形成され、回転軸Ｒに沿って延出している。固定体５４は、例えば、所要数の螺旋溝５４ａ、５４ｂ、５４ｃ、５４ｄを有している。固定体５４は、例えば、鉄（Ｆｅ）やモリブデン（Ｍｏ）等の材料を用いて形成される。固定体５４は、一端部が真空外囲器５５の外側に露出している
回転体５３は、一端部側が開口し、他端部側が閉塞した円筒状に形成され、その内径が、固定体５４の直径より大きい。回転体５３は、回転軸Ｒに沿って延出している。すなわち、回転体５３は、固定体５４と同軸的に設けられている。回転体５３は、固定体５４との間に形成される図示しない軸受により、固定体５４の周りで回転可能に支持されている。回転体５３は、真空外囲器５５を挟んで図１に示したステータコイル６に対向している。回転体５３は、例えば、鉄やモリブデン、銅（Ｃｕ）等の材料を用いて形成される。
【００１４】
回転体５３と固定体５４とは、互いに図示しない隙間（微小な隙間）を置いて設けられている。ここで、軸受は、例えば、潤滑剤としての液体金属を用いた動圧軸受である。図示しない液体金属は、回転体５３と固定体５４との間の隙間に充填されている。液体金属には、ガリウム・インジウム（Ｇａｌｎ）合金またはガリウム・インジウム・錫（ＧａＩｎＳｎ）合金等の材料を利用することができる。液体金属は、常温で液状となる特性を持っている。また、液体金属は、蒸気圧が低いという特性も持っている。このため、真空状態の回転陽極型Ｘ線管の内部で液体金属を使用することができる。軸受は、固定体５４と、回転体５３と、液体金属とを用いて形成される。なお、軸受としては、上記した動圧軸受に限らず、様々な形態をとることが可能である。
【００１５】
回転体５３の開口した一端部側にシール部５７が設けられている。シール部５７は、回転体５３の一端部に固定ねじで固定されている。シール部５７は、円環状に形成され、固定体５４の側面全周に亘って、図示しない隙間を置いて設けられている。シール部５７は、回転体５３及び固定体５４の回転軸Ｒに沿った方向への相対的なズレを抑制する。なお、シール部５７と固定体５４との間の隙間は、回転体５３の回転を維持すると共に、液体金属の漏洩を抑制できる値に設定されている。
【００１６】
陽極ターゲット５１は、円盤状に形成され、回転体５３の閉塞された他端部にナット５６で固定されている。陽極ターゲット５１は、固定体５４及び回転体５３と同軸的に設けられ回転軸Ｒを中心に回転可能である。陽極ターゲット５１は、回転体５３と一体的に回転する。陽極ターゲット５１は、例えばモリブデン又はタングステン（Ｗ）、あるいはこれらを用いた合金で形成される。
【００１７】
陽極ターゲット５１は、円環状のターゲット層５１ａと、ターゲット基体５１ｂと、を有している。ターゲット層５１ａは、ターゲット基体５１ｂの陰極５２と対向する側に形成されている。陽極ターゲット５１は、ターゲット層５１ａに陰極５２から放出された電子が衝突することにより、Ｘ線を発生する。ターゲット層５１ａは、融点の高い金属で形成されている。ここでは、ターゲット層５１ａは、タングステン合金で形成されている。陽極ターゲット５１は、固定体５４及び回転体５３等を介し、図１に示した端子９１と電気的に接続されている。
【００１８】
なお、図示した例では、回転体５３及びターゲット基体５１ｂは、別々に形成されているが、ターゲット基体５１ｂは、回転体５３と同一材料で一体に形成されていても良い。また、図２に示した陽極ターゲット５１の形状は一例であり、陽極ターゲット５１は、種々の形状をとることが可能である。
【００１９】
陰極構体５２ａは、平板状に形成されており、陰極５２を支持している。陰極５２は、陽極ターゲット５１のターゲット層５１ａに対向して配置されている。
【００２０】
真空外囲器５５は、固定体５４、回転体５３、陰極５２、陽極ターゲット５１等を収容している。真空外囲器５５は密閉され、内部が真空状態（減圧状態）に維持されている。真空外囲器５５は、金属及びガラスを利用して形成されている。真空外囲器５５の端部は、固定体５４に気密に接続されている。真空外囲器５５に利用するガラスとしては、例えば、硼珪酸ガラスが挙げられる。真空外囲器５５に利用する金属としては、例えば、コバールが挙げられる。コバールの熱膨張率は、硼珪酸ガラスの熱膨張率と略等しいため、上記金属にコバールを使用することは望ましい。図示した例では、Ｘ線管５には、片端支持軸受構造が採用されている。真空外囲器５５は、固定体５４の一端部を固定している。すなわち、固定体５４の一端部は、軸受の片持ち支持部として機能している。なお、真空外囲器５５は、少なくとも陽極ターゲット５１を取り囲む部分が金属材料によって形成されていてもよい。また、真空外囲器５５は、ターゲット層５１ａ付近にＸ線を出射させるＸ線透過窓５５ａを有している。
【００２１】
図１に示したステータコイル６は、回転体５３の側面と対向し、真空外囲器５５の外側を環状に囲むように設けられている。ステータコイル６は、端子（図示せず）と電気的に接続され、端子を介して駆動される。ステータコイル６は、所定の電流が供給されることで、回転体５３及び陽極ターゲット５１を回転させる。また、このとき、Ｘ線管５及びステータコイル６は、熱を生じる。
【００２２】
筐体３は、Ｘ線管５及びステータコイル６を収容している。筐体３は密閉されている。筐体３は、陰極５２側のターゲット層５１ａ付近において、Ｘ線を透過させるＸ線透過窓３ａを有している。
【００２３】
冷却液４は、Ｘ線管５と筐体３との間の空間に充填されている。本実施形態において冷却液４は絶縁油であり、例えば、鉱物油、合成油等の絶縁と冷却を兼ねる油系冷熱媒体である。
【００２４】
陰極５２は、端子８１、８２を介して図示しない制御部に電気的に接続されている。陰極５２には、端子８１、８２を介して、電圧及びフィラメント電流が与えられる。制御部は、陰極５２を駆動する際、端子８１、８２に接続された図示しない回路が用いられてもよいし、端子８１、８２以外の端子が用いられてもよい。
【００２５】
次に、上記Ｘ線管装置１の動作について説明する。  
Ｘ線管装置１の動作において、ステータコイル６は、端子（図示せず）を介して駆動され、回転体５３に与える磁界を発生する。このため、回転体５３は陽極ターゲット５１とともに一体に回転する。陰極５２は、制御部から端子８１及び８２を介して電流が供給される。このとき、陰極５２には、相対的に負の電圧が与えられる。陽極ターゲット５１には相対的に正の電圧が与えられる。すなわち、陽極ターゲット５１と陰極５２との間には電圧（管電圧）が印加される。陰極５２及び陽極ターゲット５１に電位差が生じる。陰極から放出された電子は、陽極ターゲット５１に向かって収束及び加速され、ターゲット層５１ａに衝突する。すなわち、陰極５２からターゲット層５１ａに電流（管電流）が流れる。ターゲット層５１ａは、電子が衝突することにより、Ｘ線を放出する。これにより、ターゲット層５１ａから発生したＸ線は、真空外囲器５５のＸ線透過窓５５ａと、筐体３のＸ線透過窓３ａとを透過して外部に放出される。
【００２６】
次に、冷却器２の構成について説明する。  
冷却器２は、１次冷却部２１、２次冷却部２２、ポンプ電源１０１、ポンプ制御部１０２、ポンプ電源２０１等を備えている。
【００２７】
１次冷却部２１は、熱交換器２１ａ、１次循環ポンプ２１ｂ、１次流路２１ｃ等を備えている。熱交換器２１ａ、１次循環ポンプ２１ｂ、及び筐体３は、１次流路（導管）２１ｃによってつながっている。熱交換器２１ａは、例えば、プレート式の熱交換器である。
【００２８】
冷却液４は、筐体３内において、Ｘ線管５及びステータコイル６を冷却した後、１次循環ポンプ２１ｂにより、熱交換器２１ａに送られる。冷却液４は、熱交換器２１ａにおいて冷却される。そして、冷却液４は、１次循環ポンプ２１ｂにより、筐体３内に再び戻される。すなわち、１次循環ポンプ２１ｂは、Ｘ線管５と筐体３との間の空間と、熱交換器２１ａとの間で冷却液４を循環させる。これにより、Ｘ線管５及びステータコイル６等において発生する熱が、冷却液４を介して、筐体３の外部へ放出される。１次冷却部２１に示されるように、Ｘ線管５と筐体３との間の空間、熱交換器２１ａ、及び１次循環ポンプ２１ｂを含み、冷却液４が循環する流路を第１循環流路とする。
【００２９】
２次冷却部２２は、熱交換器２２ａ、２次循環ポンプ２２ｂ、２次流路２２ｃ等を備えている。熱交換器２２ａ、２次循環ポンプ２１ｂ、熱交換器２１ａは、２次流路（導管）２２ｃによってつながっている。熱交換器２２ａは、例えば、ファンにより空気が吹き付けられるラジエータであっても良いし、冷却液槽、放熱フィン等を備えていても良い。
【００３０】
冷却液７は、熱交換器２１ａにおいて、冷却液４を冷却する。すなわち、熱交換器２１ａは、冷却液４の熱を熱交換により冷却液７に伝達する。その後、冷却液７は、２次循環ポンプ２２ｂにより、熱交換器２２ａに送られる。冷却液７は、熱交換器２２ａにおいて冷却される。そして、冷却液７は、２次循環ポンプ２２ｂにより、再び熱交換器２１ａに戻される。すなわち、２次循環ポンプ２２ｂは、熱交換器２１ａと熱交換器２２ａとの間で、冷却液７を循環させる。ここで、熱交換器２１ａ、熱交換器２２ａ、２次循環ポンプ２２ｂを含み、冷却液７が循環する流路を第２循環流路とする。第２循環流路は、第１循環流路と独立して設けられている。
【００３１】
冷却液７は、水系冷却液であり、例えば、工業用水のような安価な水、あるいは純水等である。なお、冷却液７は、液体状態で冷却液４を冷熱してもよいし、気体に変化する際の気化熱を利用して、冷却液４を高効率に蒸発冷却しても良い。但し、この場合には、気体状態となった冷却液７を液体に戻すために、図示しない凝縮器が、２次流路２２ｃに介在するのが望ましい。
【００３２】
ポンプ電源１０１は、１次循環ポンプ２１ｂに接続されている。ポンプ制御部１０２は、ポンプ電源１０１を介して１次循環ポンプ２１ｂに接続されている。ポンプ制御部１０２は、ポンプ電源１０１から１次循環ポンプ２１ｂに供給される電力を制御する。１次循環ポンプ２１ｂに供給される電力に応じて、１次循環ポンプ２１ｂの出力は変化し、１次循環ポンプ２１ｂの出力に応じて冷却液４の循環流量は変化する。ポンプ制御部１０２は、術者等のユーザーが入力した信号に基づいて、ポンプ電源１０１から１次循環ポンプ２１ｂへの電圧の供給を遮断することができ得る。
【００３３】
ポンプ電源２０１は、２次循環ポンプ２２ｂに接続されている。ポンプ制御部１０２は、ポンプ電源２０１を介して２次循環ポンプ２２ｂに接続されている。ポンプ制御部１０２は、ポンプ電源２０１から２次循環ポンプ２２ｂに供給される電力を制御する。２次循環ポンプ２２ｂに供給される電力に応じて、２次循環ポンプ２２ｂの出力は変化し、２次循環ポンプ２２ｂの出力に応じて冷却液７の循環流量は変化する。
【００３４】
次に、冷却器２の動作について説明する。  
１次循環ポンプ２１ｂを駆動する電動モータには、三相誘導モータ等の交流モータや直流モータが使用される。電動モータが交流モータである場合、ポンプ電源１０１は交流電源もしくはインバータ電源である。
【００３５】
ポンプ制御部１０２は、ポンプ電源１０１から１次循環ポンプ２１ｂへの電圧の供給を制御し、１次循環ポンプ２１ｂをオン、又はオフに制御することが可能である。
【００３６】
また、ポンプ電源１０１が、直流電源やインバータ電源である場合、ポンプ制御部１０２は、ポンプ電源１０１から１次循環ポンプ２１ｂへの電圧の供給を制御し、１次循環ポンプ２１ｂをオン、オフ、又はオン状態で所望の出力値に制御することが可能である。
【００３７】
ポンプ制御部１０２は、例えば、冷却液４の温度、２次冷却液としての冷却液７の温度、Ｘ線管５への入力状況などを、常時又は断続的にモニタする。Ｘ線管５への入力状況をモニタする際は、システム制御部でＸ線管５に与えられる管電流及び管電圧などを考慮して算出された陽極ターゲット５１に蓄積される熱量をモニタすることができる。
【００３８】
本実施形態において、Ｘ線管装置１は温度センサ１０３を備えている。ポンプ制御部１０２は、１次流路２１ｃに設けられた温度センサ１０３を通して冷却液４の温度を検出し監視する。なお、Ｘ線管装置１は、冷却液７の温度を検出するための温度センサを備えていてもよい。
【００３９】
本実施形態のようなＸ線管装置１は、例えば、アンギオグラフィ用として好適に用いられる。例えば、心臓不整脈治療法の一つであるカテーテルアブレーション治療を行う際に、Ｘ線管装置１を動作させて心臓血管をＸ線透視すると同時に、心電図がモニタされる。ここで、１次循環ポンプ２１ｂの動作を制御することにより、磁場ノイズの心電図への影響を抑制することが可能である。心電図による詳細な診断が必要なとき等に、１次循環ポンプ２１ｂから発生する磁場ノイズの強度を制御することにより、診断の正確性を向上することが可能となる。
【００４０】
操作手段は、術者等のユーザーが入力した信号に基づいて、１次循環ポンプ２１ｂに供給される電力を定常時の値よりも低減する指令をポンプ制御部１０２に送信することが可能である。具体的には、術者は手元の操作部１０４のスイッチ１０４ａ（操作手段）を入れることにより、ポンプ電源１０１から１次循環ポンプ２１ｂに供給される電力を定常値よりも低減する指令がポンプ制御部１０２に送られる。その結果、１次循環ポンプ２１ｂの動作が停止し、磁場ノイズの発生を無くすることができる。
【００４１】
また、ポンプ電源１０１が直流電源やインバータ電源である場合には、ポンプ制御部１０２は、１次循環ポンプ２１ｂをオン状態で所望の出力値に制御することが可能である。このため、ポンプ制御部１０２は、心電図上にノイズが拾われない程度に、１次循環ポンプ２１ｂの出力値を抑制し、磁場ノイズを低減することができる。このとき、完全に１次循環ポンプ２１ｂを停止した場合に比べて、筐体３内の冷却液４はある程度冷却されるため、より長時間に亙って磁気ノイズを低減させた状態でのカテーテルアブレーション治療を行うことが可能である。
【００４２】
以上述べたように、ポンプが発する磁場ノイズの強度を制御できるＸ線管装置及びＸ線管装置の制御方法を得ることができる。
【００４３】
しかしながら、カテーテルアブレーション治療を継続して実施し続けると、Ｘ線管の冷却不足によるＸ線管の過熱が生じ、放電等の不具合が発生する恐れが生じる。
【００４４】
以下に、この問題を解決するための方策について説明する。
【００４５】
図３は、Ｘ線管の陽極蓄積熱容量に関するグラフを示す図である。
【００４６】
図３は、アンギオグラフィシステムにおいて、Ｘ線管装置の入力状況を管理する際に用いられる、陽極ターゲット５１に蓄積される熱容量のデータを示している。図３において、横軸Ｘは、時間（時：分：秒）を示している。縦軸Ｙは、陽極蓄積熱容量（％ＨＵ）を示している。陽極蓄積熱容量（％ＨＵ）はシステム制御部１００で算出され、その結果がポンプ制御部１０２に送られる。
【００４７】
ポンプ制御部１０２は、例えば、算出した陽極蓄積熱容量のデータに基づいて、１次循環ポンプ２１ｂを制御する。例えば、陽極蓄積熱容量が５０％ＨＵを超えた時に、ポンプ制御部１０２は、たとえ術者が手元の操作部１０４のスイッチ１０４ａ（操作手段）を入れている場合であっても、１次循環ポンプ２１ｂをオンにする。または、例えば、電源が直流電源またはインバータ電源である場合、１次循環ポンプ２１ｂの出力値を定常時の値に戻す。このように、陽極蓄積熱容量のデータに基づいて、１次循環ポンプ２１ｂが制御されることにより、冷却液４の冷却不足を抑制しつつ磁場ノイズの強度を制御することが可能となる。よって、Ｘ線管装置の信頼性の低下を抑制することが可能である。また、治療が終了した後に、術者が操作部１０４のスイッチ１０４ａ（操作手段）を切り忘れたとしても、問題が生じる恐れはない。
【００４８】
なお、ポンプ制御部１０２は、陽極蓄積熱容量のデータに代えて、Ｘ線管への熱入力状況を反映する他の計算データや、冷却液４の温度をモニタした結果に基づいて１次循環ポンプ２１ｂの動作を制御しても良い。
【００４９】
また、上記の実施形態では、Ｘ線管５がＸ線を放出する期間に術者が手元の操作部１０４のスイッチ１０４ａ（操作手段）を入れているが、Ｘ線管５がＸ線を放出しない期間に術者が手元の操作部１０４のスイッチ１０４ａ（操作手段）を入れることも可能である。
【００５０】
さらにまた、術者の手元の操作部１０４には、Ｘ線管への熱入力状況または冷却液４の温度のモニタ値が所定の第１の閾値よりも高いかまたは第１の閾値よりも低い所定の第２の閾値以下であるかをランプ表示、画面表示または音声によって術者に案内する案内通知手段が設けられていることが望ましい。
【００５１】
術者が手元の操作部１０４のスイッチ１０４ａ（操作手段）を入れている場合であっても、例えば冷却液４の温度のモニタ値が第１の閾値よりも高い場合には１次循環ポンプ２１ｂの磁気ノイズが低下しないが、術者が案内通知手段の案内に従って、Ｘ線の発生を中断し、冷却液４の温度のモニタ値が第２の閾値よりも低くなった時点からＸ線を発生させてカテーテルアブレーション治療を開始することが可能となる。
【００５２】
なお、操作手段であるスイッチ１０４ａを操作するのは術者に限らず、術者の指示により補助者が操作することができる。
【００５３】
なお、本発明のいくつかの実施形態を説明したが、これらの実施形態は、例として提示したものであり、発明の範囲を限定することは意図していない。
【００５４】
例えば、温度センサ１０３は異なる温度を閾値とする２つの温度スイッチの組に置き換えることができる。
【００５５】
また、ポンプ制御部１０２は、冷却液４の温度をモニタした結果に替えて、冷却液７の温度をモニタした結果に基づいて１次循環ポンプ２１ｂの動作を制御しても良い。
【００５６】
その場合、術者の手元の操作部１０４には、冷却液７の温度のモニタ値が所定の第１の閾値よりも高いかまたは第１の閾値よりも低い所定の第２の閾値以下であるかをランプ表示、画面表示または音声によって術者に案内する案内通知手段が設けられていることが望ましい。
【００５７】
ポンプ制御部１０２は、術者等のユーザーが入力した信号に優先して、Ｘ線管５への熱入力状況または冷却液４の温度のモニター値が第１の閾値よりも高い場合に、１次循環ポンプ２１ｂへの定常時の電圧の供給を許可することができ得る。
【００５８】
Ｘ線管５がＸ線を放出する期間に、ポンプ制御部１０２は、術者等のユーザーが入力した信号に基づいて、１次循環ポンプ２１ｂに供給される電力を定常時の値よりも低減することも可能である。
【００５９】
これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００６０】
本発明の実施形態は、上述したＸ線管装置及びＸ線管装置の制御方法に限定されるものではなく、各種のＸ線管装置及びＸ線管装置の制御方法に適用可能である。
【符号の説明】
【００６１】
１…Ｘ線管装置、２…冷却器、３…筐体
４…（１次）冷却液、５…Ｘ線管、７…（２次）冷却液
２１…１次冷却部、２１ａ…熱交換器、２１ｂ…１次循環ポンプ
２２…２次冷却部、２２ａ…熱交換器、２２ｂ…２次循環ポンプ
５１…陽極ターゲット、５２…陰極、５５…真空外囲器
１００…システム制御部、１０１、２０１…ポンプ電源、
１０２…ポンプ制御部、１０３…温度センサ、
１０４…操作部、１０４ａ…操作手段、１０４ｂ、１０４ｃ…案内通知手段。
【図１】
2017191756.tif 000003
【図２】
2017191756.tif 000004
【図３】
2017191756.tif 000005